(57)【要約】  内部導体と外部導体との間の誘電率を低くしつつ、捻れや曲げによるインピーダンス不整合を抑制することができるケーブルを提供する。  同軸ケーブル１は、内部導体１０と、内部導体１０の外周面を被覆する絶縁部材２０と、絶縁部材２０の外周面を被覆する外部導体３０とを備える同軸ケーブルであって、絶縁部材２０は、複数の絶縁性の樹脂糸２２が編みこまれる樹脂編組２１を有することを特徴とする。このように構成することで、互いに隣り合う樹脂糸２２同士の間や、内部導体１０と樹脂糸２２との間に空隙ができ、内部導体１０と外部導体３０との間の誘電率を低くすることができる。また、樹脂糸２２同士の相対的な位置の変動が抑制でき、樹脂糸２２同士の間の空隙の大きさの変動を抑制できるので、内部導体１０と外部導体３０との間の誘電率変動が抑制でき、同軸ケーブル１のインピーダンス不整合を抑制できる。
2011078190.tif 000002
【特許請求の範囲】
【請求項１】
内部導体と、前記内部導体の外周面を被覆する絶縁部材と、前記絶縁部材の外周面を被覆する外部導体とを備えるケーブルであって、
前記絶縁部材は、複数の絶縁性の樹脂糸が編みこまれる樹脂編組を有する
ことを特徴とするケーブル。
【請求項２】
複数の内部導体と、それぞれの前記内部導体の外周面を被覆する複数の絶縁部材と、それぞれの前記絶縁部材の外周面を覆う外部導体とを備える伝送ケーブルであって、
前記絶縁部材の少なくとも一つは、複数の絶縁性の樹脂糸が編みこまれる樹脂編組を有する
ことを特徴とするケーブル。
【請求項３】
前記樹脂糸は、複数の樹脂製の線材から成る撚り線であることを特徴とする請求項１または２に記載のケーブル。
【請求項４】
前記樹脂糸は、樹脂性の中空糸であることを特徴とする請求項１または２に記載のケーブル。
【請求項５】
前記樹脂糸は、多孔質体であることを特徴とする請求項１または２に記載の伝送ケーブル。
【請求項６】
前記樹脂糸が前記内部導体に融着されていることを特徴とする請求項１から５のいずれか１項に記載のケーブル。
【請求項７】
前記樹脂編組を有する前記絶縁部材は、前記樹脂編組と前記内部導体との間において、前記内部導体の外周面を被覆する絶縁層を更に有することを特徴とする請求項１から５のいずれか１項に記載のケーブル。
【請求項８】
前記樹脂編組を有する前記絶縁部材は、前記樹脂編組と前記外部導体との間において、前記樹脂編組を被覆する絶縁性の樹脂テープを更に有することを特徴とする請求項１から７のいずれか１項に記載のケーブル。
【請求項９】
前記樹脂テープは、接着層を有し、前記樹脂編組と前記樹脂テープとが接着されていることを特徴とする請求項８に記載のケーブル。
【発明の詳細な説明】
【技術分野】
【０００１】
本発明は、ケーブルに関し、特に内部導体と外部導体との間の誘電率を低くしつつ、捻れや曲げによるインピーダンス不整合を抑制することができるケーブルに関する。
【背景技術】
【０００２】
ケーブルとして、内部導体と外部導体との間に絶縁性の樹脂糸を配置する同軸ケーブルが知られている。この同軸ケーブルは、一般に電子機器に用いられ、信号や電力を伝送する目的で使用されている。このような伝送ケーブルにおいては、内部導体と外部導体との間における誘電率が低いことが好ましい。そこで、内部導体と外部導体との間における誘電率を低くするために、内部導体と外部導体との間に空隙を設けることが行われている。【０００３】
下記特許文献１には、このような同軸ケーブルが記載されている。下記特許文献１に記載の同軸ケーブルは、内部導体と、内部導体を被覆する絶縁層と、絶縁層の外周面上に螺旋状に巻回される複数の樹脂糸と、巻回された複数の樹脂糸の外側に配置される外部導体と、外部導体の外側を被覆するジャケットとを備えている。そして、このケーブルにおいては、樹脂糸を内部導体と外部導体との間に配置することで、互いに隣り合う樹脂糸同士の間や、樹脂糸と絶縁層との間に空隙ができ、この空隙により、樹脂糸がない場合よりも、内部導体と外部導体との間における誘電率が下がる。
【先行技術文献】
【特許文献】
【０００４】
【特許文献１】特開２０００−９０７５３号公報
【発明の概要】
【発明が解決しようとする課題】
【０００５】
しかし、上記特許文献１に記載の同軸ケーブルにおいては、樹脂糸が螺旋状に巻回されているため、同軸ケーブルが捻られたり、曲げられたりして変形すると、部分的に樹脂糸が緩む場合がある。このように樹脂糸が緩んだ場所においては、互いに隣り合う樹脂糸同士の間や、樹脂糸と絶縁層との間の空隙が大きくなる場合があり、空隙が大きくなった場所においては、誘電率が低くなる。従って、このような同軸ケーブルにおいては、捻れや曲げにより変形している場所と、変形していない場所とにおいて、インピーダンスが異なり、インピーダンス不整合によるノイズ発生の原因となる場合がある。【０００６】
そこで、本発明は、内部導体と外部導体との間の誘電率を低くしつつ、捻れや曲げによるインピーダンス不整合を抑制することができるケーブルを提供することを目的とする。
【課題を解決するための手段】
【０００７】
本発明のケーブルは、内部導体と、前記内部導体の外周面を被覆する絶縁部材と、前記絶縁部材の外周面を被覆する外部導体とを備えるケーブルであって、前記絶縁部材は、複数の絶縁性の樹脂糸が編みこまれる樹脂編組を有することを特徴とするものである。【０００８】
このようなケーブルによれば、内部導体と外部導体との間の絶縁部材が樹脂編組を有する。この樹脂編組は、複数の絶縁性の樹脂糸が編みこまれている構成であるため、互いに隣り合う樹脂糸同士の間や、内部導体と樹脂糸との間に空隙ができ、この空隙により、内部導体と外部導体との間の誘電率を低くすることができる。さらに、ケーブルが捻られたり、曲げられたりして変形する場合においても、複数の樹脂糸が編みこまれることにより、樹脂糸同士の相対的な位置の変動が抑制できる。従って、樹脂糸同士の間の空隙の大きさが変動することを抑制することができる。このようにケーブルの捻れや曲げによる樹脂糸間の空隙の変動が抑制できるため、内部導体と外部導体との間における誘電率の変動が抑制できるので、ケーブルのインピーダンス不整合を抑制することができる。【０００９】
また、本発明のケーブルは、複数の内部導体と、それぞれの前記内部導体の外周面を被覆する複数の絶縁部材と、それぞれの前記絶縁部材の外周面を覆う外部導体とを備える伝送ケーブルであって、前記絶縁部材の少なくとも一つは、複数の絶縁性の樹脂糸が編みこまれる樹脂編組を有することを特徴するものである。【００１０】
このようなケーブルにおいても、絶縁部材が、複数の絶縁性の樹脂糸が編みこまれている樹脂編組を有するので、樹脂編組により空隙ができ、内部導体と外部導体との間の誘電率を低くすることができる。さらにケーブルが捻られたり、曲げられたりして変形する場合においても、複数の樹脂糸が編みこまれているので、樹脂糸同士の相対的な位置の変動を抑制することができ、空隙の大きさが変動することを抑制することができ、内部導体と外部導体との間における誘電率の変動を抑制することができる。こうして内部導体と外部導体との間の誘電率を低くしつつ、捻れや曲げによるインピーダンス不整合を抑制することができる。【００１１】
また、上記ケーブルにおいて、前記樹脂糸は、複数の樹脂製の線材から成る撚り線であることが好ましい。【００１２】
このようなケーブルによれば、樹脂糸を構成する樹脂製の線材間に空隙が生じるため、この空隙によりさらに空隙率を高くすることができ、内部導体と外部導体との間の誘電率をさらに低くすることができる。【００１３】
或いは、上記ケーブルにおいて、前記樹脂糸は、樹脂性の中空糸であることが好ましい。【００１４】
このようなケーブルによれば、樹脂糸が樹脂性の中空糸であるため、さらに空隙率を高くすることができ、内部導体と外部導体との間の誘電率をさらに低くすることができる。【００１５】
或いは、上記ケーブルにおいて、前記樹脂糸は、多孔質体であることが好ましい。【００１６】
このようなケーブルによれば、樹脂糸中の多数の孔により、さらに空隙率を高くすることができ、内部導体と外部導体との間の誘電率をさらに低くすることができる。【００１７】
また、上記ケーブルにおいて、前記樹脂糸が前記内部導体に融着されていることが好ましい。【００１８】
このような同軸ケーブルによれば、樹脂糸が内部導体に融着されているため、同軸ケーブルの捻れや曲げにより、内部導体と絶縁部材とがずれることを抑制することができると共に、樹脂糸同士の相対的な位置の変動をより効果的に抑制することができ、ケーブルのインピーダンス不整合をより効果的に抑制することができる。【００１９】
また、上記ケーブルにおいて、前記樹脂編組を有する前記絶縁部材は、前記樹脂編組と前記内部導体との間において、前記内部導体の外周面を被覆する絶縁層を更に有することが好ましい。【００２０】
このような同軸ケーブルによれば、内部導体が絶縁層により被覆されているため、外部導体と内部導体とが短絡することをより効果的に防止することができる。【００２１】
また、上記ケーブルにおいて、前記樹脂編組を有する前記絶縁部材は、前記樹脂編組と前記外部導体との間において、前記樹脂編組を被覆する絶縁性の樹脂テープを更に有することが好ましい。【００２２】
このようなケーブルによれば、樹脂テープにより、絶縁部材の強度を向上させることができる。【００２３】
さらに、上記ケーブルにおいて、前記樹脂テープは、接着層を有し、前記樹脂編組に接着されていることが好ましい。【００２４】
このようなケーブルによれば、樹脂テープの接着層により樹脂糸同士の相対的な位置の変動をより効果的に抑制することができ、ケーブルのインピーダンス不整合をより効果的に抑制することができる。
【発明の効果】
【００２５】
以上のように、本発明によれば、内部導体と外部導体との間の誘電率を低くしつつ、捻れや曲げによるインピーダンス不整合を抑制することができるケーブルが提供される。
【図面の簡単な説明】
【００２６】
【図１】本発明の第１実施形態に係るケーブルを示す図である。
【図２】図１に示すケーブルの長さ方向に垂直な断面の構造を示す図である。
【図３】本発明の第２実施形態に係るケーブルを示す図である。
【図４】図３の樹脂テープの断面の構造を示す図である。
【図５】本発明の第３実施形態に係るケーブルを示す図である。
【図６】本発明の第４実施形態に係るケーブルを示す図である。
【図７】図６の金属テープの断面の構造を示す図である。
【図８】本発明の第５実施形態に係るケーブルを示す図である。
【図９】図８に示すケーブルの長さ方向に垂直な断面の構造を示す図である。
【図１０】本発明の第６実施形態に係るケーブルを示す図である。
【図１１】本発明の第７実施形態に係るケーブルを示す図である。
【図１２】本発明の第８実施形態に係るケーブルを示す図である。
【発明を実施するための形態】
【００２７】
以下、本発明に係るケーブルの好適な実施形態について図面を参照しながら詳細に説明する。
【００２８】
（第１実施形態）
図１は、本発明の第１実施形態に係るケーブルを示す図であり、図２は、図１に示すケーブルの長さ方向に垂直な方向における断面の構造を示す図である。
【００２９】
図１、図２に示すように、本実施形態におけるケーブルは、同軸ケーブルである。同軸ケーブル１は、中心導体としての内部導体１０と、内部導体１０の外周面を被覆する絶縁部材２０と、絶縁部材２０の外周面を被覆する外部導体３０と、外部導体３０を被覆するジャケット４０とを備える。
【００３０】
内部導体１０は、複数の導電性線材の撚り線から成る。なお、内部導体１０の材料としては、導体であれば特に制限されないが、例えば、銅やニッケルやアルミ等が挙げられる。
【００３１】
内部導体１０の外周面を被覆する絶縁部材２０は、複数の絶縁性の樹脂糸２２が編みこまれた樹脂編組２１から構成されている。具体的には、数本の樹脂糸２２が一組とされて、横並びに並べられ、樹脂糸組２３とされる。そして、この樹脂糸組２３が複数組編みこまれることで、樹脂糸２２が編みこまれた樹脂編組２１が構成される。そして、このように樹脂糸２２が編みこまれることにより、樹脂糸２２同士の間、及び、内部導体１０と樹脂糸２２との間に空隙２４が形成されている。
【００３２】
また、この樹脂編組２１を構成するそれぞれの樹脂糸２２は、糸状に形成された１本の樹脂から構成されても良いが、複数の樹脂製の線材が撚られた撚り線から構成されることが好ましい。この場合、線材間に空隙が生じるため、この空隙によりさらに空隙率を高くすることができる。このように樹脂糸２２が複数の樹脂製の線材から構成される場合、各線材が同じ太さとされ、樹脂糸２２の１本当たりの線材の数が、７本、１９本とされることが、中心に１本の線材を配置して、その周りに無駄な隙間を無くして他の線材を配置することができ、空隙率を安定させることができる観点から好ましい。
【００３３】
或いは、それぞれの樹脂糸２２が、樹脂性の中空糸から構成されても、やはり好ましい。この場合、それぞれの樹脂糸２２の空洞により、空隙率を高くすることができる。このように樹脂糸２２が中空糸である場合、それぞれの樹脂糸２２の内径の大きさは、中空糸の肉厚の厚さ以上にならないことが、中空糸の潰れを防止する観点から好ましい。
【００３４】
また或いは、それぞれの樹脂糸２２は、多孔質体の樹脂から構成されてもやはり好ましい。この場合、それぞれの樹脂糸２２中の多数の孔により、空隙率を高くすることができる。このような孔の大きさは、樹脂糸２２の直径の３０％以下であることが、樹脂糸２２の潰れや伸びを防止できる観点から好ましい。
【００３５】
このような樹脂糸２２の直径は、特に制限されるものではないが、例えば、同軸ケーブル１がＡＷＧ（American Wire Gauge）２４〜ＡＷＧ５０に適合する場合には、０．２５ｍｍ〜０．０１５ｍｍであることが好ましい。また、樹脂編組２１のそれぞれの樹脂糸組２３における樹脂糸２２の数は、それぞれ３本〜５本であることが、樹脂糸組２３の巻き付けのピッチを短くできる観点から好ましい。さらに、樹脂編組２１を構成する各樹脂糸組２３の数は、８組、１２組、１６組、２４組とされることが、樹脂糸組２３をバランス良く巻きつけることができるため好ましい。
【００３６】
また、それぞれの樹脂糸２２は、内部導体１０に融着されていることが、同軸ケーブル１が、捻じられたり曲げられたりして変形する場合に、内部導体１０と樹脂編組２１とがずれることを防止する観点から好ましい。このように樹脂糸２２を内部導体１０に融着させる方法は、まず、樹脂編組２１が内部導体１０の外周面上に設けられている状態において、内部導体１０に電流を流すことにより、内部導体１０を抵抗により加熱する。そして、この内部導体１０の熱により、樹脂糸２２の内部導体１０側の表面を溶融して、その後、冷却することにより、樹脂糸２２が内部導体１０に融着される。
【００３７】
なお、それぞれの樹脂糸２２の材料としては、絶縁性の樹脂であれば特に制限がないが、例えば、ポリエステル系樹脂、ポリオレフィン系樹脂、ナイロン、フッ素系樹脂が挙げられ、ポリエステル系樹脂としては、ポリエチレンテレフタレート等が挙げられ、ポリオレフィン系樹脂としては、エチレンプロピレン共重合体系樹脂、ポリプロピレン、ポリエチレン、又は、これらの混合物などが挙げられ、ナイロンとしては、ナイロン６６やナイロン６が挙げられ、フッ素系樹脂としては、ポリテトラフルオロエチレンや、テトラフルオロエチレン-パーフルオロアルキルビニルエーテル共重合体や、テトラフルオロエチレン-エチレン共重合体等が挙げられる。なお、ポリエステル系樹脂、ポリオレフィン系樹脂、ナイロンにおいては、水酸化マグネシウム等の金属水酸化物の粒子や、リン系難燃剤が混合されることが、難燃性を向上させる観点から好ましい。
【００３８】
この様な樹脂編組２１から成る絶縁部材２０の外周面を被覆する外部導体３０は、金属編組等から構成されている。外部導体３０を構成する金属編組は、例えば、直径が０．１ｍｍ以下の多数の導電性の線材が編みこまれたものである。このような金属編組の材料としては、例えば、銅やニッケルやアルミが挙げられる。なお、金属編組を構成する線材同士の隙間が金属により埋められていることが、同軸ケーブル１の端部において、外部導体３０を露出させる際に、線材がバラバラにならないため好ましい。このような金属編組の線材同士の隙間を埋める金属としては、例えば、スズ、はんだ等が挙げられる。
【００３９】
また、ジャケット４０は、熱可塑性樹脂により形成されている。このような熱可塑性樹脂としては、例えば、ポリテトラフルオロエチレンや、テトラフルオロエチレン-パーフルオロアルキルビニルエーテル共重合体や、テトラフルオロエチレン-エチレン共重合体等のフッ素樹脂を挙げることができる。
【００４０】
以上説明したように、本実施形態における同軸ケーブル１によれば、内部導体１０と外部導体３０との間の絶縁部材２０が樹脂編組２１により構成される。この樹脂編組２１は、複数の絶縁性の樹脂糸２２が編みこまれている構成であるため、互いに隣り合う樹脂糸２２同士の間や、内部導体１０と樹脂糸２２との間に空隙ができ、この空隙により、内部導体１０と外部導体３０との間の誘電率を低くすることができる。そして、同軸ケーブル１が捻られたり、曲げられたりして変形する場合においても、複数の樹脂糸２２が編みこまれることにより、樹脂糸２２同士の相対的な位置の変動が抑制できる。従って、樹脂糸２２同士の間の空隙２４の大きさが変動することを抑制することができる。このように同軸ケーブル１の捻れや曲げによる樹脂糸２２間の空隙２４の変動が抑制できるため、内部導体１０と外部導体３０との間における誘電率の変動が抑制でき、同軸ケーブル１のインピーダンス不整合を抑制することができる。
【００４１】
また、上述のように、樹脂糸２２が、複数の樹脂製の線材が撚られた撚り線から構成されたり、樹脂性の中空糸から構成されたり、多孔質体の樹脂から構成される場合には、内部導体と外部導体との間の空隙率を高くすることができ、内部導体と外部導体との間の誘電率を更に低くすることができる。
【００４２】
（第２実施形態）
次に、本発明の第２実施形態について図３を参照して詳細に説明する。なお、第１実施形態と同一又は同等の構成要素については、特に説明する場合を除き、同一の参照符号を付して重複する説明は省略する。図３は、本発明の第２実施形態に係るケーブルを示す図である。
【００４３】
図３に示すように、本実施形態のケーブルも同軸ケーブルである。同軸ケーブル２は、絶縁部材２０が、樹脂編組２１と外部導体３０との間において、樹脂編組２１の外周面を被覆する絶縁性の樹脂テープ２６を有する点において、第１実施形態の同軸ケーブル１と異なる。
【００４４】
樹脂テープ２６は、樹脂編組２１の外周面上に巻かれている。この樹脂テープ２６は、図３に示すように樹脂編組２１の外周面上を螺旋状に巻かれていても良く、図示しないが内部導体１０の長手方向に沿って縦添えにされて巻かれていても良い。そして、樹脂テープ２６が螺旋状に巻かれることが、同軸ケーブル２が曲げられる場合に、巻かれた樹脂テープ２６が開くことが抑制される観点から好ましく、縦添えされて巻かれることが、製造時に樹脂テープ２６を巻き易く、また、細い同軸ケーブルに対応できる観点から好ましい。
【００４５】
図４は、図３に示す樹脂テープ２６の断面の構造を示す図である。樹脂テープ２６は、樹脂フィルム２６ｒと接着層２６ａとから成り、樹脂フィルム２６ｒの一方の面上に接着層２６ａが塗布されている。そして、樹脂編組２１側に接着層２６ａが向けられて巻かれており、接着層２６ａにより樹脂編組２１と樹脂フィルム２６ｒとが接着されている。こうして、接着層２６ａが樹脂編組２１と樹脂フィルム２６ｒとを接着することにより、樹脂糸２２同士の相対的な位置の変動をより効果的に抑制することができる。従って、同軸ケーブル２のインピーダンス不整合をより効果的に抑制することができる。
【００４６】
この樹脂テープ２６の厚さは、特に制限されるものではないが、０．０５ｍｍ以下であることが、細い同軸ケーブルに対応できる観点から好ましい。また、樹脂フィルム２６ｒは、絶縁性の樹脂から構成されている。この様な樹脂フィルム２６ｒの材料としては特に制限されるものではないが、樹脂糸２２の材料と同様の材料を挙げることができる。
【００４７】
本実施形態の同軸ケーブル２によれば、絶縁部材２０が、樹脂編組２１の外周面を被覆する絶縁性の樹脂テープ２６を更に有するため強度を向上させることができる。
【００４８】
なお、本実施形態においては、樹脂テープ２６が接着層２６ａを有する構成としたが、接着層２６ａは、必須の構成ではなく、省略することが可能である。
【００４９】
（第３実施形態）
次に、本発明の第３実施形態について図５を参照して詳細に説明する。なお、第１実施形態と同一又は同等の構成要素については、特に説明する場合を除き、同一の参照符号を付して重複する説明は省略する。図５は、本発明の第３実施形態に係るケーブルを示す図である。
【００５０】
図５に示すように、本実施形態のケーブルも同軸ケーブルである。同軸ケーブル３は、絶縁部材２０が、樹脂編組２１と内部導体１０との間において、内部導体１０の外周面を被覆する絶縁層２７を有する点において、第１実施形態の同軸ケーブル１と異なる。
【００５１】
絶縁層２７は、絶縁性の樹脂から構成されている。この様な絶縁層２７の材料としては特に制限されるものではないが、樹脂糸２２の材料と同様の材料を挙げることができる。
【００５２】
本実施形態の同軸ケーブル３によれば、内部導体１０が絶縁層２７により被覆されているため、外部導体３０と内部導体１０とが短絡することをより効果的に防止することができる。
【００５３】
なお、本実施形態において、絶縁部材２０は、第２実施形態と同様にして、樹脂編組２１の外周面を被覆する絶縁性の樹脂テープを有していることが、第２実施形態と同様の理由から好ましい。この場合、樹脂テープは、樹脂編組２１側に接着層を有していることが、第２実施形態の樹脂テープ２６が接着層２６ａを有している場合と同様の理由からより好ましい。
【００５４】
（第４実施形態）
次に、本発明の第４実施形態について図６を参照して詳細に説明する。なお、第１実施形態と同一又は同等の構成要素については、特に説明する場合を除き、同一の参照符号を付して重複する説明は省略する。図６は、本発明の第４実施形態に係るケーブルを示す図である。
【００５５】
図６に示すように、本実施形態のケーブルも同軸ケーブルである。同軸ケーブル４は、外部導体３０が金属テープ３１から構成されている点において、第１実施形態の同軸ケーブル１と異なる。この金属テープ３１は、樹脂編組２１の外周面上を螺旋状に巻かれていても良く、内部導体１０の長手方向に沿って縦添えにされて巻かれていても良い。そして、金属テープ３１が螺旋状に巻かれることが、同軸ケーブル４が曲げられる場合に、巻かれた金属テープ３１が開くことが抑制される観点から好ましく、縦添えされて巻かれることが、製造時に金属テープ３１を巻き易く、また、細い同軸ケーブルに対応できる観点から好ましい。
【００５６】
図７は、図６の金属テープ３１の断面の構造を示す図である。外部導体３０を構成する金属テープ３１は、樹脂フィルム３１ｒの一方の面上に金属層３１ｍが積層されており、樹脂フィルム３１ｒの他方の面上に接着層３１ａが塗布されている。そして、金属テープ３１は、樹脂編組２１側に接着層３１ａが向けられて巻かれており、接着層３１ａにより樹脂編組２１と樹脂フィルム３１ｒとが接着されている。
【００５７】
この金属テープの厚さは、特に制限されるものではないが、０．１ｍｍ以下であることが、細い同軸ケーブルに対応できる観点から好ましい。また、樹脂フィルム３１ｒは、絶縁性の樹脂から構成されており、金属層３１ｍの材料としては、銅やアルミやニッケル等を挙げることができ、金属層３１ｍは、樹脂フィルム３１ｒの一方の面上に蒸着により積層されても良く、貼り合せにより積層されても良い。
【００５８】
本実施形態の同軸ケーブル４によれば、接着層３１ａが樹脂編組２１と樹脂フィルム３１ｒとを接着することにより、樹脂糸２２同士の相対的な位置の変動をより効果的に抑制することができる。従って、同軸ケーブル２のインピーダンス不整合をより効果的に抑制することができる。
【００５９】
なお、本実施形態においては、金属テープ３１を金属層３１ｍと接着層３１ａで構成して、樹脂フィルム３１ｒを省略しても良い。この場合、金属層３１ｍは、金属の箔から構成れば良い。
【００６０】
（第５実施形態）
次に、本発明の第４実施形態について図８、図９を参照して詳細に説明する。なお、第１実施形態と同一又は同等の構成要素については、特に説明する場合を除き、同一の参照符号を付して重複する説明は省略する。図８は、本発明の第５実施形態に係るケーブルを示す図であり、図９は、図８に示すケーブルの長さ方向に垂直な方向における断面の構造を示す図である。
【００６１】
図８、図９に示すように、本実施形態におけるケーブルは、２芯平行型の伝送ケーブルである。伝送ケーブル５は、互いに平行に配される一組の内部導体１０、１０と、それぞれの内部導体１０の外周面を被覆する一組の絶縁部材２０、２０と、一組の絶縁部材２０、２０の外周面を覆う外部導体３０と、外部導体３０の外周面を被覆するジャケット４０とを備えている。
【００６２】
本実施形態においては、それぞれの絶縁部材２０は、それぞれの内部導体１０の外周面を被覆しているが、外部導体３０は、一組の絶縁部材２０、２０を一纏めにして覆っている。
【００６３】
本実施形態の伝送ケーブル５においても、それぞれの絶縁部材２０が、複数の絶縁性の樹脂糸２２が編みこまれている樹脂編組２１から成るので、樹脂編組２１により空隙２４ができ、内部導体１０と外部導体３０との間の誘電率を低くすることができる。さらに伝送ケーブル５が捻られたり、曲げられたりして変形する場合においても、複数の樹脂糸２２が編みこまれているので、樹脂糸２２同士の相対的な位置の変動を抑制することができ、空隙２４の大きさが変動することを抑制することができ、内部導体１０と外部導体３０との間における誘電率の変動を抑制することができる。こうして内部導体１０と外部導体３０との間の誘電率を低くしつつ、捻れや曲げによるインピーダンス不整合を抑制することができる。
【００６４】
（第６実施形態）
次に、本発明の第６実施形態について図１０を参照して詳細に説明する。なお、第５実施形態と同一又は同等の構成要素については、特に説明する場合を除き、同一の参照符号を付して重複する説明は省略する。図１０は、本発明の第６実施形態に係るケーブルを示す図である。
【００６５】
図１０に示すように、本実施形態のケーブルも第５実施形態と同様にして伝送ケーブルである。伝送ケーブル６は、それぞれの絶縁部材２０が、樹脂編組２１と外部導体３０との間において、樹脂編組２１の外周面を被覆する絶縁性の樹脂テープ２６を有する点において、第５実施形態の伝送ケーブル５と異なる。
【００６６】
樹脂テープ２６は、図４に示す第２実施形態の同軸ケーブル２における樹脂テープ２６と同様の構成とされ、第２実施形態における樹脂テープ２６と同様にして樹脂編組２１の外周面上に巻かれている。そして、本実施形態においても、第２実施形態の同軸ケーブル２と同様の理由から、樹脂テープ２６は、樹脂編組２１側に接着層２６ａを有しており、接着層２６ａにより樹脂編組２１と樹脂フィルム２６ｒとが接着されている。なお、本実施形態においても、第２実施形態と同様にして、接着層２６ａは省略されても良い。
【００６７】
本実施形態の伝送ケーブル６によれば、絶縁部材２０が、樹脂編組２１の外周面を被覆する絶縁性の樹脂テープ２６を更に有するため強度を向上させることができる。
【００６８】
（第７実施形態）
次に、本発明の第７実施形態について図１１を参照して詳細に説明する。なお、第５実施形態と同一又は同等の構成要素については、特に説明する場合を除き、同一の参照符号を付して重複する説明は省略する。図１１は、本発明の第７実施形態に係るケーブルを示す図である。
【００６９】
図１１に示すように、本実施形態のケーブルも第５実施形態と同様にして伝送ケーブルである。伝送ケーブル７は、それぞれの絶縁部材２０が、樹脂編組２１と内部導体１０との間において、内部導体１０の外周面を被覆する絶縁層２７を有する点において、第５実施形態の伝送ケーブル５と異なる。
【００７０】
絶縁層２７は、第３実施形態の同軸ケーブル３の絶縁層２７と同様の構成とされる。
【００７１】
本実施形態の伝送ケーブル７によれば、内部導体１０が絶縁層２７により被覆されているため、外部導体３０と内部導体１０とが短絡することをより効果的に防止することができる。
【００７２】
なお、本実施形態において、絶縁部材２０は、第６実施形態と同様にして、樹脂編組２１の外周面を被覆する絶縁性の樹脂テープを有していることが、第６実施形態と同様の理由から好ましい。この場合、樹脂テープは、樹脂編組２１側に接着層を有していることが好ましいが、接着層が省略されても良い。
【００７３】
（第８実施形態）
次に、本発明の第８実施形態について図１２を参照して詳細に説明する。なお、第５実施形態と同一又は同等の構成要素については、特に説明する場合を除き、同一の参照符号を付して重複する説明は省略する。図１２は、本発明の第７実施形態に係るケーブルを示す図である。
【００７４】
図１２に示すように、本実施形態のケーブルも第５実施形態と同様にして伝送ケーブルである。伝送ケーブル８は、外部導体３０が金属テープ３１から構成されている点において、第５実施形態の伝送ケーブル５と異なる。この金属テープ３１は、図７に示す第４実施形態の同軸ケーブル４における金属テープ３１と同様の構成とされ、一組の絶縁部材２０、２０を覆うようにして、螺旋状に巻かれている。このように金属テープ３１が巻かれることにより、伝送ケーブル８が曲げられる場合に、金属テープ３１が開くことが抑制されるため好ましい。
【００７５】
本実施形態の伝送ケーブル８によれば、金属テープ３１の接着層３１ａにより樹脂糸２２同士の相対的な位置の変動をより効果的に抑制することができ、伝送ケーブル８のインピーダンス不整合をより効果的に抑制することができる。
【００７６】
なお、本実施形態においても、第４実施形態と同様にして、金属テープ３１を金属層３１ｍと接着層３１ａで構成して、樹脂フィルム３１ｒを省略しても良い。
【００７７】
以上、本発明について、第１〜第８実施形態を例に説明したが、本発明はこれらに限定されるものではない。
【００７８】
例えば、第１〜第８実施形態において、内部導体１０は、複数の導電性線材の撚り線から成るとしたが、内部導体１０は、導電性の単線から構成されても良い。
【００７９】
また、第４、第８実施形態において、接着層３１ａにより、樹脂糸２２同士の相対的な位置の変動をより効果的に抑制することを求めない場合には、接着層３１ａを省略することができる。
【００８０】
また第５〜第８実施形態において、全ての絶縁部材２０が樹脂編組２１を有している必要はなく、少なくとも１つの絶縁部材２０が樹脂編組２１を有している構成としても良い。
【００８１】
また、第６実施形態において、一組の絶縁部材２０、２０のそれぞれが樹脂テープ２６を有するものとしたが、少なくとも１つの絶縁部材２０が、樹脂テープ２６を有する構成であっても良い。同様に、第７実施形態において、一組の絶縁部材２０、２０のそれぞれが絶縁層２７を有するものとしたが、少なくとも１つの絶縁部材２０が、絶縁層２７を有する構成であっても良い
【００８２】
また、第５〜第８実施形態においては、２芯平行伝送ケーブルを例に説明したが、本発明はこれに限らず、それぞれの絶縁部材２０で被覆された内部導体１０が、対撚りにされる対撚りケーブルであっても良い。
【００８３】
また、第５〜第８実施形態においては、伝送ケーブルとして、２芯伝送ケーブルを例に説明したが、本発明はこれに限らず、内部導体１０を３本以上備え、それぞれの内部導体１０の外周面を絶縁部材２０で被覆する多芯の伝送ケーブルであっても良い。
【００８４】
また、上述の伝送ケーブルが複数本束ねられ、束ねられた複数本の伝送ケーブルの外周を覆うシールドと、このシールドの外周面を被覆する外部ジャケットとを備える多芯伝送ケーブルとしても良い。この場合においても、内部導体と外部導体との間の誘電率を低くしつつ、捻れや曲げによるインピーダンス不整合を抑制することができる。
【産業上の利用可能性】
【００８５】
本発明によれば、内部導体と外部導体との間の誘電率を低くしつつ、ケーブルの捻れや曲げによるインピーダンス不整合を抑制することができる同軸ケーブルが提供される。
【符号の説明】
【００８６】
１、２、３、４・・・同軸ケーブル（ケーブル）
５、６、７、８・・・伝送ケーブル（ケーブル）
１０・・・内部導体
２０・・・絶縁部材
２１・・・樹脂編組
２２・・・樹脂糸
２３・・・樹脂糸組
２４・・・空隙
２６・・・樹脂テープ
２６ａ・・・接着層
２６ｒ・・・樹脂フィルム
２７・・・絶縁層
３０・・・外部導体
３１・・・金属テープ
３１ａ・・・接着層
３１ｍ・・・金属層
３１ｒ・・・樹脂フィルム
４０・・・ジャケット
【図１】
2011078190.tif 000003
【図２】
2011078190.tif 000004
【図３】
2011078190.tif 000005
【図４】
2011078190.tif 000006
【図５】
2011078190.tif 000007
【図６】
2011078190.tif 000008
【図７】
2011078190.tif 000009
【図８】
2011078190.tif 000010
【図９】
2011078190.tif 000011
【図１０】
2011078190.tif 000012
【図１１】
2011078190.tif 000013
【図１２】
2011078190.tif 000014
【国際調査報告】
2011078190.tif 000015
2011078190.tif 000016
2011078190.tif 000017
2011078190.tif 000018